(57)【特許請求の範囲】
【請求項１】
所定のデータ単位を１データグループとして区分された第１のＭＰＥＧデータが記録されている第１の記録媒体よりデータを読み出し、読み出されたデータを第２の記録媒体に記録する記録再生方法であって、
前記第１の記録媒体より前記第１のＭＰＥＧデータを読み出し、
前記第１のＭＰＥＧデータをその部分データごとに、前記第１と前記第２の記録媒体とは異なる第３の記録媒体に逐次蓄積しつつ、該第１のＭＰＥＧデータの特定のデータグループに対するその前後のデータグループの位置を示す位置情報を、該特定のデータグループについて、前記第３の記録媒体に蓄積されている前記第１のＭＰＥＧデータから逐次求め、該求めた前記位置情報を、前記第３の記録媒体に蓄積されている前記第１のＭＰＥＧデータ中の該特定のデータグループに順次付加して第２のＭＰＥＧデータを生成し、
前記第２のＭＰＥＧデータを前記第２の記録媒体に記録する、
ことを特徴とする記録再生方法。
【請求項２】
請求項１に記載の記録再生方法において、
前記第２のＭＰＥＧデータの生成は、前記特定のデータグループに対する、その前後のデータグループの位置を示す位置情報を、前記特定のデータグループの先頭近傍に付加することを特徴とする記録再生方法。
【請求項３】
請求項１に記載の記録再生方法において、
前記第１のＭＰＥＧデータの読み出しは、前記第１のＭＰＥＧデータを、通常第１のＭＰＥＧデータを復号して表示する実時間再生速度より高速で読み出し、
前記第２のＭＰＥＧデータの前記第２の記録媒体への記録は、前記第２のＭＰＥＧデータを、通常第２のＭＰＥＧデータを復号して表示する実時間再生速度より高速で前記第２の記録媒体に書き込む、
ことを特徴とする記録再生方法。
【請求項４】
請求項１に記載の記録再生方法において、
前記第１、及び第２の記録媒体は、ハードディスク，光ディスク，光磁気ディスク，半導体メモリ，または磁気テープのいずれかであり、
前記第３の記録媒体は半導体メモリである、
ことを特徴とする記録再生方法。
【請求項５】
所定のデータ単位を１データグループとして区分された第１のＭＰＥＧデータが記録されている第１の記録媒体よりデータを読み出し、読み出されたデータを第２の記録媒体に記録する記録再生装置であって、
前記第１の記録媒体より前記第１のＭＰＥＧデータを読み出す読出手段と、
前記第１のＭＰＥＧデータをその部分データごとに、前記第１と前記第２の記録媒体とは異なる第３の記録媒体に逐次蓄積しつつ、該第１のＭＰＥＧデータの特定のデータグループに対するその前後のデータグループの位置を示す位置情報を、該特定のデータグループについて、前記第３の記録媒体に蓄積されている前記第１のＭＰＥＧデータから逐次求める情報取得手段と、
前記情報取得手段が求めた前記位置情報を、前記第３の記録媒体に蓄積されている前記第１のＭＰＥＧデータ中の該特定のデータグループに順次付加して第２のＭＰＥＧデータを生成する情報付加手段と、
前記第２のＭＰＥＧデータを前記第２の記録媒体に記録する記録手段とを含む、
ことを特徴とする記録再生装置。
【請求項６】
所定のデータ単位を１データグループとして区分された第１のＭＰＥＧデータが記録されている第１の記録媒体よりデータを読み出し、読み出されたデータを第２の記録媒体に記録するデータ処理を、ソフトウエアにより行うパーソナルコンピュータであって、
前記データ処理は、
前記第１の記録媒体より前記第１のＭＰＥＧデータを読み出す読出処理と、
前記第１のＭＰＥＧデータをその部分データごとに、前記第１と前記第２の記録媒体とは異なる第３の記録媒体に逐次蓄積しつつ、該第１のＭＰＥＧデータの特定のデータグループに対するその前後のデータグループの位置を示す位置情報を、該特定のデータグループについて、前記第３の記録媒体に蓄積されている前記第１のＭＰＥＧデータから逐次求める情報取得処理と、
前記情報取得処理で求めた前記位置情報を、前記第３の記録媒体に蓄積されている前記第１のＭＰＥＧデータ中の該特定のデータグループに順次付加して第２のＭＰＥＧデータを生成する情報付加処理と、
前記第２のＭＰＥＧデータを前記第２の記録媒体に記録する記録処理とを含む、
ことを特徴とするパーソナルコンピュータ。
【請求項７】
所定のデータ単位を１データグループとして区分された第１のＭＰＥＧデータが記録されている第１の記録媒体よりデータを読み出し、読み出されたデータを第２の記録媒体に記録する処理を、コンピュータにより行うための記録再生プログラムであって、
前記第１の記録媒体より前記第１のＭＰＥＧデータを読み出す読出ステップと、
前記第１のＭＰＥＧデータをその部分データごとに、前記第１と前記第２の記録媒体とは異なる第３の記録媒体に逐次蓄積しつつ、該第１のＭＰＥＧデータの特定のデータグループに対するその前後のデータグループの位置を示す位置情報を、該特定のデータグループについて、前記第３の記録媒体に蓄積されている前記第１のＭＰＥＧデータから逐次求める情報取得ステップと、
前記情報取得ステップで求めた前記位置情報を、前記第３の記録媒体に蓄積されている前記第１のＭＰＥＧデータ中の該特定のデータグループに順次付加して第２のＭＰＥＧデータを生成する情報付加ステップと、
前記第２のＭＰＥＧデータを前記第２の記録媒体に記録する記録ステップとを含む、
ことを特徴とする記録再生プログラム。
【発明の詳細な説明】
【技術分野】
【０００１】
本発明は、記録再生方法及び記録再生装置に関し、特にデジタルデータをダビングする際のナビ情報付加、信号形態の変換、符号レート変換などのデータ処理に関するものである。
【背景技術】
【０００２】
近年、ＤＶＤプレーヤの普及はめざましいものがあるが、その理由の一つに高速再生、頭出しなどの使い勝手の良さがあげられる。これは、ＤＶＤビデオのフォーマットで定義されているナビパックの情報によるところが大きい。ナビパックは、ＤＶＤ規格で規定されているデータ単位であるＶＯＢＵの先頭に配置されており、該各ＶＯＢＵのナビパックには、該ＶＯＢＵの前後に配置されている複数のＶＯＢＵの位置を示す位置情報が記載されているため、ＤＶＤプレーヤでは、再生位置を瞬時に、希望する位置にジャンプさせることができる。これはＤＶＤビデオデータがＲＯＭデータであり、オーサリング時に、処理対象となっている対象ＶＯＢＵより処理順序が後のＶＯＢＵ（以下、未来のＶＯＢＵという。）の位置情報を知ることが可能であったためである。なお、上記ＶＯＢＵは、１以上のＧＯＰ（ランダムアクセスが行われるデータ単位）から構成されており、以下、説明の都合上、ＶＯＢＵはＧＯＰとして説明する。
【発明の開示】
【発明が解決しようとする課題】
【０００３】
しかし、近年、ＤＶＤレコーダまたはＨＤＤレコーダの如く、リアルタイムでＡＶデータ（オーディオビデオデータ）記録するシステムが普及してきたが、この場合、将来のデータ（現時点で記録されているデータの後に位置するデータ）の位置情報を書き込むのは不可能である。データを全て固定レート（ＣＢＲ）で記録する場合は、この位置情報の書き込みは可能であるが、この場合、圧縮効率の低下を招き、望ましくない。つまり、ＤＶＤレコーダ、ＨＤＤレコーダのようなリアルタイム記録機器にデータを可変レート（ＶＢＲ）で記録するシステムにおいて、ナビパックに記録されているような将来のデータに関する情報を記録する手段がなかった。
【０００４】
また、ＨＤＤに一旦記録されたデジタル信号をダビングする方法として、デジタルデータをアナログデータに戻してダビングする方法、あるいはその信号形態（デジタル形態）のままダビングする方法が考えられるが、ダビング先の媒体の容量に応じて、情報量を削減する、または信号形態を変換することが望ましい。  リアルタイムの記録機器においても、ＤＶＤビデオのナビパックに相当する将来のデータの位置情報を記録する方法が求められていた。
【０００５】
本発明は上記のような課題を解決するためになされたもので、ＡＶデータを可変レートで、しかも特殊再生が可能となるよう記録することができる記録再生方法及び記録再生装置を得ることを目的とする。
【０００６】
また、本発明は、ＡＶデータをダビングする際、ＡＶデータの情報量を、そのダビング先の記録媒体の容量に応じたものとすることができる記録再生方法及び記録再生装置を得ることを目的とする。
【課題を解決するための手段】
【０００７】
本発明の請求項１に係る記録再生方法は、所定のデータ単位を１データグループとして区分された第１のＭＰＥＧデータが記録されている第１の記録媒体よりデータを読み出し、読み出されたデータを第２の記録媒体に記録する記録再生方法であって、前記第１の記録媒体より前記第１のＭＰＥＧデータを読み出し、前記第１のＭＰＥＧデータをその部分データごとに、前記第１と前記第２の記録媒体とは異なる第３の記録媒体に逐次蓄積しつつ、該第１のＭＰＥＧデータの特定のデータグループに対するその前後のデータグループの位置を示す位置情報を、該特定のデータグループについて、前記第３の記録媒体に蓄積されている前記第１のＭＰＥＧデータから逐次求め、該求めた前記位置情報を、前記第３の記録媒体に蓄積されている前記第１のＭＰＥＧデータ中の該特定のデータグループに順次付加して第２のＭＰＥＧデータを生成し、前記第２のＭＰＥＧデータを前記第２の記録媒体に記録することを特徴とするものである。
【００１４】
本発明の請求項２に係る記録再生方法は、請求項１に記載の記録再生方法において、前記第２のＭＰＥＧデータの生成は、前記特定のデータグループに対する、その前後のデータグループの位置を示す位置情報を、前記特定のデータグループの先頭近傍に付加することを特徴とするものである。
【００１５】
本発明の請求項３に係る記録再生方法は、請求項１に記載の記録再生方法において、前記第１のＭＰＥＧデータの読み出しは、前記第１のＭＰＥＧデータを、通常第１のＭＰＥＧデータを復号して表示する実時間再生速度より高速で読み出し、前記第２のＭＰＥＧデータの前記第２の記録媒体への記録は、前記第２のＭＰＥＧデータを、通常第２のＭＰＥＧデータを復号して表示する実時間再生速度より高速で前記第２の記録媒体に書き込むことを特徴とするものである。
【００１８】
本発明の請求項４に係る記録再生方法は、請求項１に記載の記録再生方法において、前記第１、及び第２の記録媒体は、ハードディスク，光ディスク，光磁気ディスク，半導体メモリ，または磁気テープのいずれかであり、前記第３の記録媒体は半導体メモリであることを特徴とするものである。
【００１９】
本発明の請求項５に係る記録再生装置は、所定のデータ単位を１データグループとして区分された第１のＭＰＥＧデータが記録されている第１の記録媒体よりデータを読み出し、読み出されたデータを第２の記録媒体に記録する記録再生装置であって、前記第１の記録媒体より前記第１のＭＰＥＧデータを読み出す読出手段と、前記第１のＭＰＥＧデータをその部分データごとに、前記第１と前記第２の記録媒体とは異なる第３の記録媒体に逐次蓄積しつつ、該第１のＭＰＥＧデータの特定のデータグループに対するその前後のデータグループの位置を示す位置情報を、該特定のデータグループについて、前記第３の記録媒体に蓄積されている前記第１のＭＰＥＧデータから逐次求める情報取得手段と、前記情報取得手段が求めた前記位置情報を、前記第３の記録媒体に蓄積されている前記第１のＭＰＥＧデータ中の該特定のデータグループに順次付加して第２のＭＰＥＧデータを生成する情報付加手段と、前記第２のＭＰＥＧデータを前記第２の記録媒体に記録する記録手段とを含むことを特徴とするものである。
【００２２】
本発明の請求項６に係るパーソナルコンピュータは、所定のデータ単位を１データグループとして区分された第１のＭＰＥＧデータが記録されている第１の記録媒体よりデータを読み出し、読み出されたデータを第２の記録媒体に記録するデータ処理を、ソフトウエアにより行うパーソナルコンピュータであって、前記データ処理は、前記第１の記録媒体より前記第１のＭＰＥＧデータを読み出す読出処理と、前記第１のＭＰＥＧデータをその部分データごとに、前記第１と前記第２の記録媒体とは異なる第３の記録媒体に逐次蓄積しつつ、該第１のＭＰＥＧデータの特定のデータグループに対するその前後のデータグループの位置を示す位置情報を、該特定のデータグループについて、前記第３の記録媒体に蓄積されている前記第１のＭＰＥＧデータから逐次求める情報取得処理と、前記情報取得処理で求めた前記位置情報を、前記第３の記録媒体に蓄積されている前記第１のＭＰＥＧデータ中の該特定のデータグループに順次付加して第２のＭＰＥＧデータを生成する情報付加処理と、前記第２のＭＰＥＧデータを前記第２の記録媒体に記録する記録処理とを含むことを特徴とするものである。
【００２４】
本発明の請求項７に係る記録再生プログラムは、所定のデータ単位を１データグループとして区分された第１のＭＰＥＧデータが記録されている第１の記録媒体よりデータを読み出し、読み出されたデータを第２の記録媒体に記録する処理を、コンピュータにより行うための記録再生プログラムであって、前記第１の記録媒体より前記第１のＭＰＥＧデータを読み出す読出ステップと、前記第１のＭＰＥＧデータをその部分データごとに、前記第１と前記第２の記録媒体とは異なる第３の記録媒体に逐次蓄積しつつ、該第１のＭＰＥＧデータの特定のデータグループに対するその前後のデータグループの位置を示す位置情報を、該特定のデータグループについて、前記第３の記録媒体に蓄積されている前記第１のＭＰＥＧデータから逐次求める情報取得ステップと、前記情報取得ステップで求めた前記位置情報を、前記第３の記録媒体に蓄積されている前記第１のＭＰＥＧデータ中の該特定のデータグループに順次付加して第２のＭＰＥＧデータを生成する情報付加ステップと、前記第２のＭＰＥＧデータを前記第２の記録媒体に記録する記録ステップとを含むことを特徴とするものである。
【発明の効果】
【００２６】
以上のように、本発明の記録再生方法によれば、所定のデータ単位を１データグループとして区分された第１のＭＰＥＧデータが記録されている第１の記録媒体よりデータを読み出し、読み出されたデータの処理を行なったのち第２の記録媒体に記録する記録再生方法であって、前記第１の記録媒体より前記第１のＭＰＥＧデータを読み出す読出ステップと、  該読み出した第１のＭＰＥＧデータを、前記第１と前記第２の記録媒体とは異なる第３の記録媒体に記録するステップと、前記第３の記録媒体から前記第１のＭＰＥＧデータを読み出すステップと、該読み出した第１のＭＰＥＧデータに基づいて、該第１のＭＰＥＧデータの特定のデータグループに対する、その前後のデータグループの位置を示す位置情報を求める情報取得ステップと、前記第１のＭＰＥＧデータの決められた位置に前記位置情報を付加して第２のＭＰＥＧデータを生成する情報付加ステップと、前記第２のＭＰＥＧデータを、前記第１の記録媒体とは異なる第２の記録媒体に略連続的に記録する記録ステップとを含むことを特徴とするので、ＭＰＥＧデータを可変レートで、しかも高速再生や頭だしなどの特殊再生が可能となるよう記録することができる。また、容易に各ＧＯＰに対するその前後のＧＯＰの位置を示す位置情報を求めることができる。
【００２７】
本発明の記録再生方法によれば、所定のデータ単位を１データグループとして区分された第１のＭＰＥＧデータが記録されている第１の記録媒体よりデータを読み出し、読み出されたデータの処理を行なったのち第２の記録媒体に記録する記録再生方法であって、前記第１の記録媒体より前記第１のＭＰＥＧデータを読み出す読出ステップと、該読み出した第１のＭＰＥＧデータを復号して復号信号を生成する復号ステップと、  該生成した復号信号を再符号化して第２のＭＰＥＧデータを生成する再符号化ステップと、該生成した第２のＭＰＥＧデータを前記第１の記録媒体及び前記第２の記録媒体とは異なる第３の記録媒体に記録するステップと、該第３の記録媒体から前記第２のＭＰＥＧデータを読み出すステップと、読み出した前記第２のＭＰＥＧデータに基づいて、該第２のＭＰＥＧデータの特定のデータグループに対する、その前後のデータグループの位置を示す位置情報を求める情報取得ステップと、前記第２のＭＰＥＧデータの決められた位置に前記位置情報を付加して第３のＭＰＥＧデータを生成する情報付加ステップと、前記第３のＭＰＥＧデータを前記第１の記録媒体とは異なる第２の記録媒体に記録する記録ステップとを含むことを特徴とするので、ＭＰＥＧデータをダビングする際、該ＭＰＥＧデータを可変レートで、しかも高速再生や頭だしなどの特殊再生が可能となるよう記録することができ、さらにＭＰＥＧデータの情報量を、そのダビング先の記録媒体の容量に応じたものとすることができる。また、容易に各ＧＯＰに対するその前後のＧＯＰの位置を示す位置情報を求めることができる。
【００２８】
本発明の記録再生方法によれば、前記記録再生方法において、前記第１の記録媒体からの読出ステップと、情報取得ステップと、情報付加ステップと、第２の記録媒体への記録ステップは、ほぼリアルタイムで連続的に行われることを特徴とするので、ＭＰＥＧデータを可変レートで、しかも高速再生や頭だしなどの特殊再生が可能となるよう記録することができる。また、容易に各ＧＯＰに対するその前後のＧＯＰの位置を示す位置情報を求めることができる。
【００２９】
本発明の記録再生方法によれば、前記記録再生方法において、前記第１の記録媒体には、前記第１のＭＰＥＧデータとして、固定レートのＭＰＥＧデータが記録されており、前記再符号化ステップは、前記固定レートのＭＰＥＧデータに対応する復号信号の再符号化により、可変レートのＭＰＥＧデータを前記第２のＭＰＥＧデータとして生成するものであることを特徴とするので、ダビング時に、ＭＰＥＧデータを固定レートから可変レートへ変換することができる。
【００３０】
本発明の記録再生方法によれば、前記記録再生方法において、前記情報取得ステップは、前記第２のＭＰＥＧデータとして可変レートのＭＰＥＧデータを第３の記録媒体に記録するステップと、該第３の記録媒体から前記可変レートのＭＰＥＧデータを読み出すステップと、読み出した可変レートのＭＰＥＧデータに基づいて、該可変レートのＭＰＥＧデータの特定のデータグループに対する、その前後のデータグループの位置を示す位置情報を求めるステップとからなることを特徴とするので、容易に各ＧＯＰに対するその前後のＧＯＰの位置を示す位置情報を求めることができる。
【００３１】
本発明の記録再生方法によれば、前記記録再生方法において、前記再符号化ステップは、所定の解像度を有する、前記第１のＭＰＥＧデータに対応する復号信号を、前記解像度より低い解像度を有する信号に変換する変換ステップと、前記変換された信号を再符号化して前記第２のＭＰＥＧデータを生成するステップとからなることを特徴とするので、ＭＰＥＧデータを所定の解像度を有する信号から前記解像度より低い解像度を有する信号に変換してダビングすることができる。
【００３２】
本発明の記録再生方法によれば、前記記録再生方法において、前記第１のＭＰＥＧデータに対応する復号信号は高精細信号であり、前記復号信号を解像度変換して生成される信号は標準信号であることを特徴とするので、ＭＰＥＧデータを高精細信号から標準信号に変換してダビングすることができる。
【００３３】
本発明の記録再生方法によれば、前記記録再生方法において、前記情報付加ステップは、前記特定のデータグループに対する、その前後のデータグループの位置を示す位置情報を、前記特定のデータグループの先頭近傍に付加するものであることを特徴とするので、ＤＶＤプレーヤでもＭＰＥＧデータの再生が可能となる効果がある。
【００３４】
本発明の記録再生方法によれば、前記記録再生方法において、前記読出ステップは、前記第１のＭＰＥＧデータを、通常第１のＭＰＥＧデータを復号して表示する実時間再生速度より高速で読み出すものであり、前記記録ステップは、前記第２のＭＰＥＧデータを、通常第２のＭＰＥＧデータを復号して表示する実時間再生速度より高速で前記第２の記録媒体に書き込むものであることを特徴とするので、ＭＰＥＧデータに対する位置情報付加、符号レート変換、信号形態変換などのデータ処理を、ＭＰＥＧデータの高速ダビング中に行うことができる。
【００３５】
本発明の記録再生方法によれば、前記記録再生方法において、前記復号化ステップは、前記第１のＭＰＥＧデータに含まれるビデオデータのみ復号化して映像復号信号を生成するものであり、前記再符号化ステップは、前記映像復号信号を再符号化して再符号化ビデオデータを生成し、該再符号化ビデオデータを、前記第１のＭＰＥＧデータに含まれる音声データを遅延させた遅延音声データと多重して多重データを生成するものであり、上記記録ステップは、該多重データを前記第２のＭＰＥＧデータとして記録するものであることを特徴とするので、音声信号の再符号化による音質劣化を防ぐことが可能となる。
【００３６】
本発明の記録再生方法によれば、前記記録再生方法において、前記再符号化ステップは、外部からの音声信号を符号化して得られる外部音声データを、前記第２のＭＰＥＧデータに挿入するデータ挿入処理、前記外部音声データを前記第２のＭＰＥＧデータにおける音声データと置き換えるデータ置換処理、または前記外部音声データを前記第２のＭＰＥＧデータにおける音声データと合成するデータ合成処理、のうちのいずれか１つのデータ処理を行うものであることを特徴とするので、ダビング時のアフレコが可能となる効果がある。
【００３７】
本発明の記録再生方法によれば、前記記録再生方法において、前記第１、及び第２の記録媒体は、ハードディスク，光ディスク，光磁気ディスク，半導体メモリ，または磁気テープのいずれかであり、前記第３の記録媒体は半導体メモリであることを特徴とするので、ＡＶデータのダビングは、ＡＶデータが記録されている記録媒体の種類、あるいはＡＶデータのダビング先の記録媒体の種類にほとんど制約を受けることなく、行うことができる。
【００３８】
本発明の記録再生装置によれば、所定のデータ単位を１データグループとして区分された第１のＭＰＥＧデータが記録されている第１の記録媒体よりデータを読み出し、読み出されたデータの記録再生処理を行う記録再生装置であって、前記第１の記録媒体より前記第１のＭＰＥＧデータを読み出す読出手段と、読み出された第１のＭＰＥＧデータに基づいて、該第１のＭＰＥＧデータの特定のデータグループに対する、その前後のデータグループの位置を示す位置情報を求める情報取得手段と、前記第１のＭＰＥＧデータの決められた位置に前記位置情報を付加して第２のＭＰＥＧデータを生成する情報付加手段と、前記第２のＭＰＥＧデータを前記第１の記録媒体とは異なる第２の記録媒体に略連続的に記録する記録手段とを含み、前記情報取得手段は、前記第１のＭＰＥＧデータを前記第１、及び第２の記録媒体とは異なる第３の記録媒体に記録する手段と、該第３の記録媒体から前記第１のＭＰＥＧデータを読み出す手段と、読み出した第１のＭＰＥＧデータに基づいて、該第１のＭＰＥＧデータの特定のデータグループに対する、その前後のデータグループの位置を示す位置情報を求める手段とからなることを特徴とするので、ＭＰＥＧデータを可変レートで、しかも高速再生や頭だしなどの特殊再生が可能となるよう記録することができる。また、容易に各ＧＯＰに対するその前後のＧＯＰの位置を示す位置情報を求めることができる。
【００３９】
本発明の記録再生装置によれば、所定のデータ単位を１データグループとして区分された第１のＭＰＥＧデータが記録されている第１の記録媒体よりデータを読み出し、読み出されたデータの記録再生処理を行う記録再生装置であって、前記第１の記録媒体より前記第１のＭＰＥＧデータを読み出す読出手段と、該読み出した第１のＭＰＥＧデータを復号して復号信号を生成する復号手段と、前記復号信号を再符号化して第２のＭＰＥＧデータを生成する再符号化手段と、前記第２のＭＰＥＧデータに基づいて、該第２のＭＰＥＧデータの特定のデータグループに対する、その前後のデータグループの位置を示す位置情報を求める情報取得手段と、前記第２のＭＰＥＧデータの決められた位置に前記位置情報を付加して第３のＭＰＥＧデータを生成する情報付加手段と、前記第３のＭＰＥＧデータを前記第１の記録媒体とは異なる第２の記録媒体に記録する記録手段とを含み、前記情報取得手段は、前記第２のＭＰＥＧデータを前記第１と前記第２の記録媒体とは異なる第３の記録媒体に記録する手段と、該第３の記録媒体から前記第２のＭＰＥＧデータを読み出す手段と、読み出した第２のＭＰＥＧデータに基づいて、該第２のＭＰＥＧデータの特定のデータグループに対する、その前後のデータグループの位置を示す位置情報を求める手段とからなることを特徴とするので、ＭＰＥＧデータをダビングする際、該ＭＰＥＧデータを可変レートで、しかも高速再生や頭だしなどの特殊再生が可能となるよう記録することができ、さらにＭＰＥＧデータの情報量を、そのダビング先の記録媒体の容量に応じたものとすることができる。また、容易に各ＧＯＰに対するその前後のＧＯＰの位置を示す位置情報を求めることができる。
【００４０】
本発明の記録再生装置によれば、前記記録再生装置において、前記第１の記録媒体からの読出手段と、情報取得手段と、情報付加手段と、第２の記録媒体への記録手段の動作は、ほぼリアルタイムで連続的に行われることを特徴とするので、ＭＰＥＧデータを可変レートで、しかも高速再生や頭だしなどの特殊再生が可能となるよう記録することができる。また、容易に各ＧＯＰに対するその前後のＧＯＰの位置を示す位置情報を求めることができる。
【００４１】
本発明のパーソナルコンピュータによれば、所定のデータ単位を１データグループとして区分された第１のＭＰＥＧデータが記録されている第１の記録媒体よりデータを読み出し、読み出されたデータを記録再生するデータ処理を、ソフトウエアにより行うパーソナルコンピュータであって、前記データ処理は、前記第１の記録媒体より前記第１のＭＰＥＧデータを読み出す読出処理と、読み出された第１のＭＰＥＧデータに基づいて、該第１のＭＰＥＧデータの特定のデータグループに対する、その前後のデータグループの位置を示す位置情報を求める情報取得処理と、前記第１のＭＰＥＧデータの決められた位置に前記位置情報を付加して第２のＭＰＥＧデータを生成する情報付加処理と、前記第２のＭＰＥＧデータを前記第１の記録媒体とは異なる第２の記録媒体に略連続的に記録する記録処理とを含み、前記情報取得処理は、前記第１のＭＰＥＧデータを前記第１と前記第２の記録媒体とは異なる第３の記録媒体に記録する処理と、該第３の記録媒体から前記第１のＭＰＥＧデータを読み出す処理と、読み出した第１のＭＰＥＧデータに基づいて、該第１のＭＰＥＧデータの特定のデータグループに対する、その前後のデータグループの位置を示す位置情報を求める処理とからなることを特徴とするので、ＭＰＥＧデータを可変レートで、しかも高速再生や頭だしなどの特殊再生が可能となるよう記録することができる。また、容易に各ＧＯＰに対するその前後のＧＯＰの位置を示す位置情報を求めることができる。
【００４２】
本発明のパーソナルコンピュータによれば、所定のデータ単位を１データグループとして区分された第１のＭＰＥＧデータが記録されている第１の記録媒体よりデータを読み出し、読み出されたデータを記録再生するデータ処理を、ソフトウエアにより行うパーソナルコンピュータであって、前記データ処理は、前記第１の記録媒体より前記第１のＭＰＥＧデータを読み出す読出処理と、該読み出した第１のＭＰＥＧデータを復号して復号信号を生成する復号処理と、前記復号信号を再符号化して第２のＭＰＥＧデータを生成する再符号化処理と、前記第２のＭＰＥＧデータに基づいて、該第２のＭＰＥＧデータの特定のデータグループに対する、その前後のデータグループの位置を示す位置情報を求める情報取得処理と、前記第２のＭＰＥＧデータの決められた位置に前記位置情報を付加して第３のＭＰＥＧデータを生成する情報付加処理と、前記第３のＭＰＥＧデータを前記第１の記録媒体とは異なる第２の記録媒体に記録する記録処理とを含み、前記情報取得処理は、前記第２のＭＰＥＧデータを前記第１と前記第２の記録媒体とは異なる第３の記録媒体に記録する処理と、該第３の記録媒体から前記第２のＭＰＥＧデータを読み出す処理と、読み出した第２のＭＰＥＧデータに基づいて、該第２のＭＰＥＧデータの特定のデータグループに対する、その前後のデータグループの位置を示す位置情報を求める処理とからなることを特徴とするので、ＭＰＥＧデータをダビングする際、該ＭＰＥＧデータを可変レートで、しかも高速再生や頭だしなどの特殊再生が可能となるよう記録することができ、さらにＭＰＥＧデータの情報量を、そのダビング先の記録媒体の容量に応じたものとすることができる。また、容易に各ＧＯＰに対するその前後のＧＯＰの位置を示す位置情報を求めることができる。
【００４３】
本発明の記録再生プログラムによれば、所定のデータ単位を１データグループとして区分された第１のＭＰＥＧデータが記録されている第１の記録媒体よりデータを読み出し、読み出されたデータの記録再生処理を、コンピュータにより行うための記録再生プログラムであって、前記第１の記録媒体より前記第１のＭＰＥＧデータを読み出す読出ステップと、読み出された第１のＭＰＥＧデータに基づいて、該第１のＭＰＥＧデータの特定のデータグループに対する、その前後のデータグループの位置を示す位置情報を求める情報取得ステップと、前記第１のＭＰＥＧデータの決められた位置に前記位置情報を付加して第２のＭＰＥＧデータを生成する情報付加ステップと、前記第２のＭＰＥＧデータを前記第１の記録媒体とは異なる第２の記録媒体に略連続的に記録する記録ステップとを含み、前記情報取得ステップは、前記第１のＭＰＥＧデータを前記第１と前記第２の記録媒体とは異なる第３の記録媒体に記録するステップと、該第３の記録媒体から前記第１のＭＰＥＧデータを読み出すステップと、読み出した第１のＭＰＥＧデータに基づいて、該第１のＭＰＥＧデータの特定のデータグループに対する、その前後のデータグループの位置を示す位置情報を求めるステップとからなることを特徴とするので、ＭＰＥＧデータを可変レートで、しかも高速再生や頭だしなどの特殊再生が可能となるよう記録することができる。また、容易に各ＧＯＰに対するその前後のＧＯＰの位置を示す位置情報を求めることができる。
【００４４】
本発明の記録再生プログラムによれば、所定のデータ単位を１データグループとして区分された第１のＭＰＥＧデータが記録されている第１の記録媒体よりデータを読み出し、読み出されたデータの記録再生処理を、コンピュータにより行うための記録再生プログラムであって、前記第１の記録媒体より前記第１のＭＰＥＧデータを読み出す読出ステップと、該読み出した第１のＭＰＥＧデータを復号して復号信号を生成する復号ステップと、前記復号信号を再符号化して第２のＭＰＥＧデータを生成する再符号化ステップと、前記第２のＭＰＥＧデータに基づいて、該第２のＭＰＥＧデータの特定のデータグループに対する、その前後のデータグループの位置を示す位置情報を求める情報取得ステップと、前記第２のＭＰＥＧデータの決められた位置に前記位置情報を付加して第３のＭＰＥＧデータを生成する情報付加ステップと、前記第３のＭＰＥＧデータを前記第１の記録媒体とは異なる第２の記録媒体に記録する記録ステップとを含み、前記情報取得ステップは、前記第２のＭＰＥＧデータを前記第１と前記第２の記録媒体とは異なる第３の記録媒体に記録するステップと、該第３の記録媒体から前記第２のＭＰＥＧデータを読み出すステップと、読み出した第２のＭＰＥＧデータに基づいて、該第２のＭＰＥＧデータの特定のデータグループに対する、その前後のデータグループの位置を示す位置情報を求めるステップとからなることを特徴とするので、ＭＰＥＧデータをダビングする際、該ＭＰＥＧデータを可変レートで、しかも高速再生や頭だしなどの特殊再生が可能となるよう記録することができ、さらにＭＰＥＧデータの情報量を、そのダビング先の記録媒体の容量に応じたものとすることができる。また、容易に各ＧＯＰに対するその前後のＧＯＰの位置を示す位置情報を求めることができる。
【発明を実施するための最良の形態】
【００４５】
以下、本発明の実施の形態について、図１から図５を用いて説明する。
（実施の形態１）
図１及び図３は本発明の実施の形態１による記録再生方法を説明するためのブロック図であり、図１は、該記録再生方法によりＡＶデータのダビングを行う記録再生装置の全体を示し、図３は図１に示す記録再生装置の一部を示している。
【００４６】
第１の記録媒体であるＨＤＤ８に蓄えられたＭＰＥＧデータを、再生手段１０により上記ＨＤＤ８から読み出して再生し、ＭＰＥＧストリーム（ＡＶデータ）を得る。このＭＰＥＧストリームには、トランスポートストリーム、プログラムストリーム、またはエレメンタリストリーム等種々のものがある。分析手段３０では、ＭＰＥＧストリーム上の各ＧＯＰの位置を分析し、所定のＧＯＰと、その前後のＧＯＰとの位置関係を認識する。ナビ情報付加手段６では、分析手段３０からの指示に基づき、所定のＧＯＰの先頭近傍にある決められた位置に、上記前後のＧＯＰの位置を示す位置情報を付加する。この際、ナビ情報付加手段６は必要に応じてメモリ手段１９を使用する。このメモリ手段１９は、半導体メモリでもＨＤＤのような記録媒体でもよい。ナビ情報が付加されたＭＰＥＧストリームは、記録手段７により第２の記録媒体である光ディスク９に記録される。ここで、上記ナビ情報を付加する所定のＧＯＰは、ＭＰＥＧストリームに含まれるすべてのＧＯＰとしている。但し、ナビ情報を付加するＧＯＰは、ＭＰＥＧストリームに含まれるすべてのＧＯＰから一定の基準で選択したものであってもよい。
【００４７】
この動作は、リアルタイムで行われる場合に限られるものではなく、実動作（通常の復号表示動作）より早い速度で行われる場合と、実動作より遅い速度で行われる場合があり、これらは、分析手段３０等の処理能力に依存することになる。また、分析手段３０の処理は、ナビ情報付加手段６がそのナビ情報付加処理の一部として行うものでもよく、またＣＰＵ１８が行うものでも良い。
【００４８】
次に、本発明の実施の形態１による記録再生方法を、図１を用いてより詳細に説明する。図１は本発明の実施の形態１による記録再生装置の詳細な構成を示すブロック図である。
【００４９】
端子２０より入力された映像信号はＡＤ変換手段１でＡＤ変換され、スイッチＳ１を経て映像符号化手段２へ送られ、映像符号化手段２の出力の映像符号化データはシステムエンコード手段５へ送られる。
【００５０】
端子２１より入力された音声信号はＡＤ変換手段３でＡＤ変換され、スイッチＳ２を経て音声符号化手段４へ送られ、音声符号化手段４の出力である音声符号化データはスイッチＳ３を経てシステムエンコード手段５へ送られる。
【００５１】
システムエンコード手段５で映像データと音声データとが多重され、多重化により得られたＭＰＥＧデータは、スイッチＳ４とスイッチＳ６に送られる。スイッチＳ４を経た信号はナビ情報付加手段６に入力され、ナビ情報付加手段６の出力はスイッチＳ５に出力される。ナビ情報付加手段６は必要に応じて蓄積媒体であるメモリ手段１９を使用する。
【００５２】
端子２２からは１３９４信号が入力され、１３９４Ｉ／Ｆ手段１６を経てスイッチＳ５に出力される。スイッチＳ５の出力は記録手段７により記録信号に変換され、第１の記録媒体であるＨＤＤ８、あるいは第２の記録媒体である光ディスク９へ記録される。第１の記録媒体であるＨＤＤ８、あるいは第２の記録媒体である光ディスク９から再生手段１０により読み出されて再生された再生信号は、映像復号化手段１１、音声復号化手段１２、音声遅延手段１３、分析手段３０、スイッチＳ４、スイッチＳ５、及びスイッチＳ６へ供給される。
【００５３】
映像復号化手段１１で復号された映像信号はスイッチＳ１へ供給されるとともにＤＡ変換手段１４に入力され、端子２３に再生映像信号として出力される。音声復号化手段１２で復号された音声信号はスイッチＳ２へ供給されるとともにＤＡ変換手段１５に入力され、端子２４に再生音声信号として出力される。音声遅延手段１３の出力はスイッチＳ３に出力される。スイッチＳ６の出力は１３９４Ｉ／Ｆ手段１７へ入力され、端子２５に１３９４の形式で出力される。このとき、ＣＰＵ１８は上記記録再生装置の全体の動作をコントロールする。
【００５４】
ここで、端子２０、２１からの信号を可変レートで記録する場合を考える。
上述した記録系、つまり上記手段１〜７により信号が生成される。このとき、ナビ情報付加手段６では、所定のＧＯＰにその前後のＧＯＰの位置情報を付加する必要があるが、リアルタイム記録では将来記録されるデータ量が予測できないため、上記前後のＧＯＰの位置情報を付加できない。従って、ナビ情報付加手段６に入力されたデータは、前後のＧＯＰの位置情報が付加されずに記録手段７に送られ、記録信号に変換され、ＨＤＤ８に記録される。
【００５５】
図２は、ＤＶＤビデオ規格に準拠したストリームを示す模式図である。ＤＶＤでは、上述したように、１または複数のＧＯＰでＶＯＢＵというデータ単位が構成されるが、本発明ではＶＯＢＵを便宜上ＧＯＰとして説明する。各ＧＯＰの先頭にはナビパックという情報が付加されており、その中には、特殊再生時等で有用となるように、該ＧＯＰの前後に位置するＧＯＰの位置を示す位置情報が記入されている。ＤＶＤプレーヤでは、この位置情報をもとに、高速再生等の特殊再生を実現する。
【００５６】
今、ＨＤＤ８に記録されたデータには、図２で斜線で示した前後のＧＯＰの位置情報が欠落しているため、通常のＤＶＤプレーヤでは再生動作が保証されないことになる。しかし、すでに記録されたデータを再度ＨＤＤ８より読み出すことにより、前後のＧＯＰの位置情報を知ることは可能である。このようにして得た位置情報を付加するために、図１に示す記録再生装置では次のような動作を行う。
【００５７】
ＨＤＤ８に記録されているデータのＧＯＰの位置情報をＣＰＵ１８が検知できるよう以下の処理が行われる。
例えば、ＨＤＤ８に記録されているデータの所定区間に対するデータ再生（データの読出し）を実行し、分析手段３０により再生データ（読出データ）を解析する処理、または、記録手段７がデータをＨＤＤ８に記録するときに、ＧＯＰの位置情報をＨＤＤ８の所定の位置に記録し、蓄えておく処理が行われる。
【００５８】
その後、ＨＤＤ８より再生手段１０により読み出されて再生された再生データは、スイッチＳ４に送られる。そしてスイッチＳ４から出力された再生データは、ＣＰＵ１８の指令によりナビ情報付加手段６にて、各ＧＯＰの先頭部分の決められた位置に、該各ＧＯＰの前後のＧＯＰの位置情報を含むナビ情報を付加する処理が施され、記録手段７を経てＨＤＤ８または光ディスク９に記録される。ここで、記録された再生データはナビ情報を含んでいるので、通常のＤＶＤプレーヤで再生可能となる。
【００５９】
なお、この実施の形態１の記録再生装置は、上記各手段をハードウエアにより構成したものであっても、上記各手段による処理をソフトウエアにより行うものであってもよい。
【００６０】
以上のように、本発明の実施の形態１では、ＭＰＥＧストリーム上の各ＧＯＰの位置を求め、各ＧＯＰに対する、その前後のＧＯＰの位置を示す位置情報を、該ＭＰＥＧストリームに付加し、該位置情報が付加されたＭＰＥＧストリームを光ディスク９に記録するので、ＭＰＥＧデータを可変レートで、しかも特殊再生が可能となるよう記録することができる。
【００６１】
（実施の形態２）
次に、実施の形態２として、ＨＤＤにはじめに記録されたデータそのものの符号レートを変換する記録再生方法を説明する。
【００６２】
ＨＤＤ８には、例えば９Ｍｂｐｓの固定レート（ＣＢＲ）のデータが記録されている。このデータを永久保存するために、光ディスク９にダビングするときに、より長時間記録を可能とするため、該データを、３Ｍｂｐｓの可変レート（ＶＢＲ）のデータに変換して記録する場合を考える。
【００６３】
まず、ＨＤＤ８より９ＭｂｐｓのＣＢＲデータを読み出して再生し、映像復号化手段１１にて復号する。復号データは、スイッチＳ１を経て映像符号化手段２に供給され、該手段２にて該復号データのＶＢＲ符号化が行われる。復号データのＶＢＲ符号化により得られた再符号化データ（ＶＢＲデータ）は、システムエンコーダ手段５、ナビ情報付加手段６、記録手段７を経て、ＨＤＤ８に３ＭｂｐｓのＶＢＲデータとして記録される。
【００６４】
ここで、ナビ情報付加手段６では、まだ、対応するＶＢＲデータが入力されていない未来のＧＯＰの位置情報は分からないため、リアルタイムでは、該ＶＢＲデータにナビ情報を付加することはできない。そこで、ＶＢＲデータをＨＤＤ８に記録しているときに各ＧＯＰの位置情報を、ＣＰＵ１８が制御できる半導体メモリかＨＤＤ８の、上記ＶＢＲデータの記憶領域とは別の記憶領域に記録しておく。そして、ＣＢＲデータをその符号レートが９Ｍｂｐｓから３Ｍｂｐｓへ変換されるよう再符号化したあと、再生手段１０により、再度ＨＤＤ８より前記３ＭｂｐｓのＶＢＲデータを読み出す。さらに、読み出されたＶＢＲデータを、スイッチＳ４を経てナビ情報付加手段６に供給し、ナビ情報付加手段６にてＶＢＲデータに、各ＧＯＰに対するその前後のＧＯＰの位置情報を含むナビ情報を付加する。ナビ情報が付加されたＶＢＲデータは、スイッチＳ５、記録手段７を経て、光ディスク９へ記録される。
【００６５】
以上のように、本発明の実施の形態２による記録再生方法によれば、ＨＤＤ８に記録されているＣＢＲデータを再符号化によりＶＢＲデータに変換し、前記ＶＢＲデータの各ＧＯＰの位置情報を求め、該ＶＢＲデータに、各ＧＯＰに対するその前後のＧＯＰの位置情報を付加し、その後で位置情報が付加されたＶＢＲデータを光ディスク９に記録するので、ＭＰＥＧデータをダビングする際、該ＭＰＥＧデータの情報量を削減することができ、しかも、情報量を削減したＭＰＥＧデータを、特殊再生が可能となるよう記録することができる。
【００６６】
なお、上記実施の形態２では、各ＧＯＰにナビ情報を付加する際、再符号化した３ＭｂｐｓのＶＢＲデータを一旦ＨＤＤ８に記録するものを述べたが、これに限るものではない。例えば、ナビ情報付加手段６を、メモリ手段１９をワークエリアとして有するものとし、ナビ情報付加手段６に入力されたＶＢＲデータをメモリ手段１９に一旦蓄えるようにしてもよい。この場合、上述した未来のＧＯＰの位置情報を簡易的に知ることができ、その位置情報をほぼリアルタイムでＶＢＲデータに付加することが可能となる。なお、この場合、ＧＯＰの位置情報の付加された３ＭｂｐｓのＶＢＲデータは、記録手段７を経て、光ディスク９へ記録されることになる。
【００６７】
但しこの場合、各ＧＯＰに付加される、その前後のＧＯＰの位置情報は、メモリ手段１９に蓄えられているＶＢＲデータのデータ量に相当する範囲内のＧＯＰの位置情報に制限される。具体的には、メモリ手段１９が２５６ＭｂｉｔのＤＲＡＭである場合、ナビ情報付加手段６では、３ＭｂｐｓのＶＢＲデータの各ＧＯＰに対して、８０秒程度まで離れた未来のＧＯＰの位置情報を知ることが可能となる。
【００６８】
（実施の形態３）
次に、実施の形態３として、ＨＤＤにはじめに記録されたデータがデジタル放送信号であり、それをレート変換する記録再生方法について説明する。
【００６９】
デジタル放送信号は、ＭＰＥＧトランスポートストリーム（ＴＳデータ）の形態で、端子２２より１３９４形式で１３９４Ｉ／Ｆ手段１６に入力され、該ＴＳデータはスイッチＳ５、記録手段７を経てＨＤＤ８に記録される。つまり、ＨＤＤ８には、ＣＢＲデータとしてＭＰＥＧにおけるトランスポートストリームが記録されており、このストリームにはナビ情報は含まれていない。
【００７０】
また、この実施の形態３では、上記ＣＢＲデータを長時間、光ディスク９に記録可能とするため、該ＣＢＲデータをＶＢＲデータに変換し、さらにＶＢＲデータにナビ情報を付加して記録媒体に記録する。
【００７１】
この実施の形態３では、データの記録再生処理は、実施の形態２とほぼ同様に行われるが、映像復号化手段１１ではＣＢＲデータを復号し、映像符号化手段２では、ＣＢＲデータを再符号化によりＶＢＲデータに変換し、システムエンコード手段５では、ＡＶデータ（ＭＰＥＧデータ）としてプログラムストリーム（ＰＳ）を作成することになる。
このプログラムストリームに対するナビ情報の付加の仕方は実施の形態２と同様である。
【００７２】
これにより、符号レート変換と同時に、ＴＳデータからＰＳデータへのデータ形態の変換が可能となる。
【００７３】
本発明の実施の形態３による記録再生方法によれば、ＨＤＤ８に記録されたＡＶデータをその再符号化によりＣＢＲデータからＶＢＲデータに変換するレート変換処理を行うとともに、さらに上記ＡＶデータを、ＴＳデータからＰＳデータへ変換するストリーム形態変換処理を行い、符号レート及びストリーム形態が変換されたＡＶデータに、各ＧＯＰに対するその前後のＧＯＰの位置情報を付加し、位置情報が付加されたＡＶデータを光ディスク９に記録するので、ＡＶデータ（ＭＰＥＧデータ）をダビングする際、該ＭＰＥＧデータの情報量を削減するとともに、データ形態を変換することができ、しかも、情報量を削減しかつデータ形式を変換したＡＶデータを、特殊再生が可能となるよう記録することができる。
【００７４】
（実施の形態４）
次に、実施の形態４として、ＨＤＤにはじめに記録されたデータがＨＤデジタル放送信号であり、その符号レート変換する記録再生方法について説明する。
【００７５】
この実施の形態４は、映像復号化手段１１が、高精細信号（ＨＤ信号）に対応するＣＢＲのＴＳデータを復号し、該ＨＤ信号に対応する復号データを、標準信号（ＳＤ信号）に対応するデータに変換（ダウンコンバート）する機能を有する点で、実施の形態３と異なっている。
【００７６】
上記映像復号化手段１１から出力された標準信号に対応するＣＢＲのデータは、スイッチＳ１を経て映像符号化手段２に入力される。該手段２では、ＣＢＲのデータは再符号化によりＶＢＲのデータに変換され、システムエンコード手段５に入力される。そして、システムエンコード手段５から出力された、ＶＢＲのビデオデータを含むＡＶデータは、ＨＤＤ８又はメモリ手段１９に記録された後、実施の形態３と同様、ナビ情報を付加されて、最終的に光ディスク９へ記録される。
【００７７】
以上のように、本発明の実施の形態４による記録再生方法によれば、ＨＤＤ８に記録されたＨＤ信号に対応するＡＶデータをその再符号化によりＣＢＲデータからＶＢＲデータに変換するレート変換処理を行うとともに、さらに上記ＡＶデータを、ＨＤ信号に対応するデータからＳＤ信号に対応するデータへ変換するダウンコンバート処理を行い、レート変換処理及びダウンコンバート処理が施されたＡＶデータに、各ＧＯＰに対するその前後のＧＯＰの位置情報を付加し、位置情報が付加されたＡＶデータを光ディスク９に記録するので、ＡＶデータ（ＭＰＥＧデータ）をダビングする際、該ＭＰＥＧデータの情報量を削減するとともに、精細度を変換することができ、しかも、情報量を削減しかつ精細度を変換したＡＶデータを、特殊再生が可能となるよう記録することができる。
【００７８】
（実施の形態５）
次に本発明の実施の形態５による記録再生方法について説明する。
この実施の形態５の記録再生方法は、音声データの再符号化が不要な場合は、映像データの再符号化のみ行うものである。ここでは、映像データの再符号化及びＧＯＰの位置情報の付加の動作は実施の形態２と同様であるので省略する。
【００７９】
音声データの符号レートを変換する、もしくはその符号化方式を変換する場合は、再符号化が必要になり、以下のような再符号化が行われる。
【００８０】
再生手段１０から出力される音声データは、音声復号化手段１２で復号され、復号音声データとしてスイッチＳ２を経て音声符号化手段４に入力される。該手段４に入力された復号音声データは再符号化され、再符号化音声データとしてスイッチＳ３を経てシステムエンコード手段５に入力される。該手段５では、再符号化音声データは、再符号化された映像データと多重され、ＡＶデータとして出力される。
【００８１】
一方、音声データの再符号化が不要な場合、再生手段１０の出力は遅延手段１３で遅延され、遅延音声データとして、スイッチＳ３を経てシステムエンコード手段５に入力される。該手段５では、遅延音声データと再符号化された映像データとが多重される。
【００８２】
以上のように、本発明の実施の形態５による記録再生方法によれば、ＨＤＤ８に記録されたＡＶデータの再符号化の際、音声データの再符号化が不要な場合には、ＡＶデータに含まれる音声データの再符号化を行わず、ＨＤＤ８から読み出された音声データを遅延させて、再符号化された映像データと多重し、この多重化により得られたＡＶデータを光ディスク９に記録するので、ダビング時の音声信号の再符号化による音質劣化を防ぐことが可能となる。
【００８３】
また、映像データを再符号化する処理、及びＡＶデータ（ＭＰＥＧデータ）にナビ情報を付加する処理は実施の形態２と同様に行われるので、ＡＶデータのダビング時には、ＡＶデータを、その情報量を削減した、特殊再生が可能なデータに変換することができる。
【００８４】
（実施の形態６）
次に本発明の実施の形態６による記録再生方法について説明する。
この実施の形態６の記録再生方法は、アフレコ処理あるいは音声多重処理を含む点以外は実施の形態２の記録再生方法と同一であり、ここでは、映像データを再符号化する処理及びＭＰＥＧデータに対してナビ情報を付加する処理の説明は省略する。
【００８５】
まず、この実施の形態６の記録再生方法のアフレコ処理について説明する。
ここで、上記アフレコ処理は、視聴者が、記録再生装置（図１参照）の端子２３からの再生映像信号に基づいて表示された映像に合わせて録音を行うものとする。
【００８６】
外部より、上記記録再生装置の端子２１にアナログ音声信号が入力されると、該音声信号は、ＡＤ変換手段３にてデジタル音声信号に変換され、このデジタル音声信号はスイッチＳ２を経て音声符号化手段４に入力される。
【００８７】
この音声符号化手段４では上記デジタル音声信号の符号化処理が行われ、該符号化処理により得られた音声データは、スイッチＳ３を経てシステムエンコード手段５に入力される。該システムエンコーダ手段５では、該音声データは、再符号化された映像データと多重され、多重化されたデータはＡＶデータとしてナビ情報付加手段６に出力される。このＡＶデータは、実施の形態２と同様、ナビ情報が付加されて光ディスク９に記録される。
【００８８】
このアフレコ処理では、ＨＤＤ８に記録されているＭＰＥＧデータの音声データが、外部から入力されたアフレコ音声データと置換されることとなる。
【００８９】
次に、この実施の形態６の記録再生方法の音声多重処理について説明する。
ここで上記音声多重処理は、オリジナル音声データと外部からのアフレコ音声データを時間軸多重するものとする。
【００９０】
外部から入力された音声信号は、上記アフレコ処理と同様、ＡＤ変換手段３にてデジタル音声信号に変換され、スイッチＳ２を介して音声符号化手段４に入力される。該手段４では、該デジタル音声信号の符号化処理が行われ、この符号化処理により得られた音声データ（アフレコ音声データ）は、スイッチＳ３に出力される。
【００９１】
一方、音声遅延手段１３からは、オリジナル音声データ（ＨＤＤ８に記録されているＭＰＥＧデータに含まれる音声データ）を遅延させた音声データが出力され、該音声データは上記スイッチＳ３に出力される。
【００９２】
該スイッチＳ３では、上記音声符号化手段４からのアフレコ音声データと、上記音声遅延手段１３からのオリジナル音声データとを切替えて選択する時間軸多重処理が行われ、該時間軸多重処理により得られた多重音声データがシステムエンコード手段５に出力される。該システムエンコーダ手段５では、該多重音声データと、再符号化された映像データとを多重するＡＶ多重処理が行われ、このＡＶ多重処理により得られたＡＶデータはナビ情報付加手段６に出力される。このＡＶデータは、実施の形態２と同様、ナビ情報が付加されて光ディスク９に記録される。
【００９３】
上記音声多重処理では、ＨＤＤ８に記録されているＭＰＥＧデータに、外部から入力されたアフレコ音声データが挿入されることとなり、該光ディスク９に記録されたＭＰＥＧデータは、２つの音声ストリームを含むものとなる。
【００９４】
以上のように、本発明の実施の形態６による記録再生方法によれば、ＨＤＤ８に記録されたＭＰＥＧデータの再符号化の際、該ＭＰＥＧデータに含まれるオリジナル音声データを外部からの音声データと置き換える処理、あるいは該ＭＰＥＧデータに外部からの音声データを挿入する処理を行うので、ダビング時のアフレコが可能となる。
【００９５】
なお、上記実施の形態６では、ＭＰＥＧデータの再符号化の際、上記ＭＰＥＧデータに含まれるオリジナル音声データを外部からの音声データと置き換える処理、あるいは該ＭＰＥＧデータに外部からの音声データを挿入する処理について説明したが、ＭＰＥＧデータの再符号化の際、記ＭＰＥＧデータに含まれるオリジナル音声データを外部からの音声データと合成する処理を行うようにしてもよい。
【００９６】
（実施の形態７）
次に本発明の実施の形態７による記録再生方法について説明する。
この実施の形態７の記録再生方法は、ＭＰＥＧデータにほぼリアルタイムでナビ情報を付加するものである
【００９７】
図４はこの実施の形態７の記録再生方法によりＭＰＥＧデータを記録する記録再生装置の概略構成を示すブロック図である。
【００９８】
この実施の形態７の記録再生装置は、図１に示す実施の形態１の記録再生装置の構成に加えて、デジタル放送信号を受信するＳＴＢ（Set-Top Box）３１、アナログ映像信号をエンコードするエンコーダ３２、インターネットなどのコンピュータネットワークを介して配信されているＭＰＥＧデータなどのＡＶデータを受信する配信データ受信部３３、及び上記ＳＴＢ３１，エンコーダ３２，及び配信データ受信部のいずれかの出力データを選択して出力するスイッチＳ７を有するものである。但し、図４中、図１と同一符号は、実施の形態１の記録再生装置におけるものと同一であり、また、エンコーダ３２は、図１に示す記録再生装置における手段１〜５及びスイッチＳ１〜Ｓ３に相当するものである。また、この実施の形態７のスイッチＳ７の出力データは、実施の形態１のシステムエンコーダ５の出力データに相当するものである。
【００９９】
この実施の形態７では、記録されるＭＰＥＧストリーム（ＭＰＥＧデータ）のソースとしては、デジタル放送信号を受信するＳＴＢ（Set-Top Box）３１の出力データ、アナログ映像信号をエンコードするエンコーダ３２の出力データ、あるいはインターネットなどのコンピュータネットワークを介して配信されているＭＰＥＧデータを受信する配信データ受信部３３の出力データ、等が考えられる。
【０１００】
スイッチＳ７では、上記ＳＴＢ３１，エンコーダ３２，及び配信データ受信部のいずれか出力データが選択され、各部から出力データとして供給されるＭＰＥＧストリームは、ナビ情報付加手段６と分析手段３０に入力される。
【０１０１】
該ナビ情報付加手段６，分析手段３０及び記録手段７の動作は、図３に示す実施の形態１の記録再生装置と同様に行われる。
但し、この実施の形態７は、ナビ情報の付加，ＭＰＥＧデータの分析などの一連の処理がほぼリアルタイムで行われる必要がある点では、上記実施の形態１と異なっている。
【０１０２】
つまり、ナビ情報付加手段６にＭＰＥＧデータが入力されると、ナビ情報付加手段６では、該手段６がワークエリアとしてもっているメモリ手段１９にデータを一旦蓄える処理が行われる。分析手段３０では、上記メモリ手段１９に蓄えられているデータに対する、各ＧＯＰの位置情報を検出する位置情報検出処理が行われる。そして、上記ナビ情報付加手段６では、上記分析手段３０により得られた位置情報に基づいて、各ＧＯＰに対する、その前後のＧＯＰの位置を示す位置情報を、ＭＰＥＧデータに付加する処理が行われる。
【０１０３】
但しこの場合、各ＧＯＰに付加される、その前後のＧＯＰの位置情報は、メモリ手段１９に蓄えられているＭＰＥＧデータのデータ量に相当する範囲のＧＯＰの位置情報に制限される。
【０１０４】
このように本実施の形態７の記録再生方法では、デジタル放送信号あるいはインターネット上の配信データを受信してＭＰＥＧデータとして記録する際、あるいは外部からのアナログ映像信号を符号化してＭＰＥＧデータとして記録する際、ＭＰＥＧデータをメモリ手段１９に一旦蓄え、該蓄えたＭＰＥＧデータを分析して各ＧＯＰの位置情報を取得するので、ＭＰＥＧデータを記録する際、該ＭＰＥＧデータに、各ＧＯＰに対する、その前後のＧＯＰの位置情報を付加する処理をほぼリアルタイムで行うことができる。
【０１０５】
（実施の形態８）
次に本発明の実施の形態８による記録再生方法について説明する。
この実施の形態８の記録再生方法は、ＭＰＥＧデータなどのＡＶデータの高速ダビング中に、ナビ情報の付加，符号レートの変換，信号形式の変換などを行うものである。
【０１０６】
記録媒体ＨＤＤ８に記録されているデータは、通常は該データを復号して表示するため、実時間再生速度で読み出されることになる。しかし、データに対する復号表示処理を行わない、もしくはデータに対する復号表示を間欠的に行う場合は、ＨＤＤ８からのデータの読出しは、実時間再生速度以上の速度で行うことが可能である。
【０１０７】
そこで、この実施の形態８の記録再生装置は、通常の復号表示処理を行わないダビング時には、ＨＤＤ８（図１参照）に記録されているデータ（第１のＭＰＥＧデータ）を、該ＨＤＤ８の最高転送レートで読出し、上述した各実施の形態でのナビ情報の付加，符号レートの変換，信号形態の変換などデータ処理を実時間再生速度以上の速度で行い、上記データ処理が施されたＡＶデータ（第２または第３のＭＰＥＧデータ）を、実時間再生速度以上の速度で、光ディスク９（図１参照）に記録するものとしている。ここで、ＣＰＵ１８（図１参照）は、システム全てをコントロールする働きをする。
【０１０８】
以上のように、本発明の実施の形態８による記録再生方法では、通常の復号表示処理を行わないダビング時には、ＨＤＤ８に記録されたデータの読み出しを、実時間再生速度より高速で行うので、ＭＰＥＧデータの高速ダビングを行いつつ、ＭＰＥＧデータに対するナビ情報の付加，符号レートの変換、信号形態の変換を行うことができる。
【０１０９】
例えば、ＨＤＤ８として最高転送レートが２０Ｍｂｐｓのものを用い、ＨＤＤ８に記録されているＡＶデータの通常再生速度が５Ｍｂｐｓである場合には、約４倍速の高速ダビングを行いつつ、該ＡＶデータに対しては、上記ナビ情報の付加，符号レートの変換，信号形態の変換などデータ処理を施すことが可能となる。
【０１１０】
なお、上記実施の形態８では、記録再生装置にて高速ダビングを行う場合について説明したが、上記高速ダビング処理の際に、ＨＤＤから読み出されたデータ（再生データ）あるいは光ディスクに記録されるデータ（記録データ）を、記録信号または再生信号としてＳＴＢ等に１３９４形式で送出するようにしてもよい。
【０１１１】
この場合は、上記記録信号あるいは再生信号をスイッチＳ６を介して１３９４Ｉ／Ｆ手段１７に供給することにより、端子２５からこれらの信号が出力されることとなる。
【０１１２】
また、上記各実施の形態では、記録媒体として、ＨＤＤと光ディスクを例にあげたが、それに限るものではなく、記録媒体は、光磁気ディスク、磁気テープ、半導体メモリであってもよい。
【０１１３】
また、上記各実施の形態では、ＨＤＤに記録されているデータとして、ＳＤ信号、ＨＤ信号、ＣＢＲデータ、ＶＢＲデータ、ＭＰＥＧデータ（ＴＳあるいはＰＳ）を示したが、ＨＤＤに記録されているデータは、エレメンタリデータ、ＤＶＣ（デジタルビデオカメラ）等のデジタルデータであってもよい。
【０１１４】
また、上記各実施の形態で挙げたＭＰＥＧデータは、具体的には、ＭＰＥＧ１、ＭＰＥＧ２、ＭＰＥＧ４、ＭＰＥＧ７等、すべてのＭＰＥＧ規格に対応したものであるのは言うまでもない。また、上記実施の形態における第１、第２もしくは第３の記録媒体は、それぞれ別個の記録媒体であっても、また同一の記録媒体であってもよい。
【０１１５】
さらに、上記各実施の形態では、記録再生装置をハードウエアにより実現したものを示したが、これらの装置はソフトウエアにより実現してもよい。この場合、上記各実施の形態で示した記録再生処理を行うための記録再生プログラムをフロッピーディスク媒体等のデータ記憶媒体に記録しておくことにより、上記記録再生装置を、独立したコンピュータシステムにおいて構築することが可能となる。
【０１１６】
図５は、上記各実施の形態の記録再生処理を、上記記録再生プログラムを格納したフロッピーディスク媒体を用いて、コンピュータシステムにより実施する場合を説明するための図である。
【０１１７】
図５(a)は、フロッピーディスク媒体の正面からみた外観、断面構造、及びフロッピーディスク媒体本体を示し、図５(b)は、該フロッピーディスク媒体本体の物理フォーマットの例を示している。
【０１１８】
上記フロッピーディスク媒体ＦＤは、上記フロッピーディスク媒体本体ＤをフロッピーディスクケースＦＣ内に収容した構造となっており、該フロッピーディスク媒体本体Ｄの表面には、同心円状に外周から内周に向かって複数のトラックＴｒが形成され、各トラックＴｒは角度方向に１６のセクタＳｅに分割されている。従って、上記プログラムを格納したフロッピーディスク媒体ＦＤでは、上記フロッピーディスク媒体本体Ｄは、その上に割り当てられた領域（セクタ）Ｓｅに、上記プログラムとしてのデータが記録されたものとなっている。
【０１１９】
また、図５(c)は、フロッピーディスク媒体ＦＤに対する上記プログラムの記録、及びソフトウエアによる記録再生処理を行うための構成を示している。
【０１２０】
上記プログラムをフロッピーディスク媒体ＦＤに記録する場合は、コンピュータシステム（パーソナルコンピュータ）Ｃｓから上記プログラムとしてのデータを、フロッピーディスクドライブＦＤＤを介してフロッピーディスク媒体ＦＤに書き込む。また、フロッピーディスク媒体ＦＤに記録されたプログラムにより、上記記録再生装置をコンピュータシステムＣｓ中に構築する場合は、フロッピーディスクドライブＦＤＤによりプログラムをフロッピーディスク媒体ＦＤから読み出し、コンピュータシステムＣｓにロードする。
【０１２１】
このようなコンピュータシステムでは、映像信号及び音声信号に対する符号化及び復号化はもとより、ＨＤＤ、光ディスク、メモリなどの記録媒体への書き込み及び読み出しも、全てソフトウエアにより処理可能となる。
【０１２２】
なお、図５の説明では、データ記憶媒体としてフロッピーディスク媒体を用いて説明を行ったが、光ディスクを用いても上記フロッピーディスク媒体の場合と同様にソフトウェアによる記録再生処理を行うことができる。また、データ記憶媒体は上記光ディスクやフロッピーディスク媒体に限るものではなく、ＩＣカード、ＲＯＭカセット等、プログラムを記録できるものであればどのようなものでもよく、これらのデータ記録媒体を用いる場合でも、上記フロッピーディスク媒体等を用いる場合と同様にソフトウェアによる記録再生処理を実施することができる。
【産業上の利用可能性】
【０１２３】
本発明は、記録再生方法及び記録再生装置に関し、特にデジタルデータをダビングする際のナビ情報付加、信号形態の変換、符号レート変換などのデータ処理に関するものである。
【図面の簡単な説明】
【０１２４】
【図１】本発明の各実施の形態の記録再生装置の詳細な構成を説明するためのブロック図である。
【図２】ストリームの構成を説明する模式図である。
【図３】本発明の実施の形態１による記録再生装置の概略構成を示すブロック図である。
【図４】本発明の実施の形態７による記録再生装置の概略構成を示すブロック図である。
【図５】上記各実施の形態の記録再生処理をコンピュータシステムにより行うためのプログラムを格納したデータ記憶媒体（図(a)，(b)）、及び上記コンピュータシステム（図(c)）を説明するための図である。
【符号の説明】
【０１２５】
１，３  ＡＤ変換手段
２  映像符号化手段
４  音声符号化手段
５  システムエンコード手段
６  ナビ情報付加手段
７  記録手段
８  ＨＤＤ
９  光ディスク
１０  再生手段
１１  映像復号化手段
１２  音声復号化手段
１３  音声遅延手段
１４，１５  ＤＡ変換手段
１６，１７  １３９４ＩＦ手段
１８  ＣＰＵ
１９  メモリ手段
２０、２１、２２  端子
２３、２４、２５  端子
３０  分析手段
３１  ＳＴＢ
３２  エンコーダ
３３  データ受信部
Ｓ１〜Ｓ７  スイッチ
Ｃｓ  コンピュータシステム
ＦＤ  フロッピーディスク媒体
【図１】
0004520483.tif 000002
【図２】
0004520483.tif 000003
【図３】
0004520483.tif 000004
【図４】
0004520483.tif 000005
【図５】
0004520483.tif 000006